(57)【要約】  【課題】マルチトーン変調方式を用いた優先制御技術を提供する。  【解決手段】非競合チャネルを設け、該非競合チャネルに例えば品質劣化の少ないトーンおよびスロットを割り当てる。非競合チャネルが割り当てられていないトーンおよびスロットは、競合チャネルに割り当てる。キャリアセンスは、非競合チャネルおよび競合チャネルを格納するペイロードに付加された非競合チャネルヘッダ内に設けられた競合制御スペースで行う。また、非競合チャネルに割り当てられたトーンおよびスロットを示す非競合チャネル構成情報は、非競合チャネルヘッダに含める。競合チャネルが割り当てられたトーンおよびスロットは、非競合チャネルヘッダの非競合チャネル構成情報により特定される非競合チャネルのトーンおよびスロットと、予め定められたペイロードの構成情報（トーンおよびスロットの情報）とから特定する。【選択図】図２
2006238245.tif 000002
【特許請求の範囲】
【請求項１】
マルチトーン変調方式を用いた通信装置であって、
競合チャネルおよび非競合チャネルを利用してデータを送信する送信部と、競合チャネルおよび非競合チャネルを利用してデータを受信する受信部と、データ送受に用いるチャネルのトーン（周波数）とスロット（時間）との組合せを設定する使用チャネル設定部と、競合チャネル制御部と、を有し、
前記送信部は、
前記使用チャネル設定部により設定されたトーンとスロットとの組合せを用いてデータをマルチトーン変調するマルチトーン変調手段と、
前記マルチトーン変調手段によりマルチトーン変調されたデータを格納した通信フレームを生成する通信フレーム生成手段と、
前記通信フレーム生成手段で生成された通信フレームを通信媒体に送信する送信用ＡＦＥ（Analog Front End）手段と、を有し、
前記受信部は、
前記通信媒体から変調信号を受信する受信用ＡＦＥ手段と、
前記受信用ＡＦＥ手段より出力された変調信号から通信フレームを検出する通信フレーム検出手段と、
前記通信フレーム検出手段により検出された通信フレームに含まれているマルチトーン変調されたデータを、前記使用チャネル設定部により設定されたトーンとスロットとの組合せを用いて復調するマルチトーン復調手段と、を有し、
前記使用チャネル設定部は、
データ送受に用いるチャネルとして非競合チャネルが予め設定されている場合、前記送信部および前記受信部に、非競合チャネルに割り当てられたトーンとスロットとの組合せを設定する処理と、データ送受に用いるチャネルとして競合チャネルが予め設定されている場合、前記送信部および前記受信部に、非競合チャネルに割り当てられたトーンとスロットとの組合せ以外のトーンとスロットとの組合せを設定する処理と、を行い、
前記通信フレーム生成手段は、
非競合チャネルが予め設定されている場合に、非競合チャネルヘッダ同期信号および競合制御スペースを含む非競合チャネルヘッダと、前記使用チャネル設定部で設定されたトーンとスロットとの組合せで前記マルチトーン変調手段によりマルチトーン変調されたデータを含む非競合データ部とを有する通信フレームを生成する処理と、
競合チャネルが予め設定されている場合に、通信媒体上に存在する通信フレームの非競合データ部に多重化される、前記使用チャネル設定部で設定されたトーンとスロットとの組合せで前記マルチトーン変調手段によりマルチトーン変調されたデータを含む競合データ部を生成する処理と、を行い、
前記競合チャネル制御部は、
競合チャネルが予め設定されている場合であって、通信媒体上に存在する通信フレームの非競合チャネルヘッダ同期信号により特定される競合制御スペースに他のキャリア出力が検出されなかった場合に、前記競合データ部の生成を前記送信部に指示すること
を特徴とする通信装置。
【請求項２】
請求項１に記載の通信装置であって、
前記通信フレーム生成手段は、
非競合チャネルが設定されている場合に、非競合チャネルヘッダに、非競合チャネルに割り当てられたトーンとスロットとの組合せを特定するための非競合チャネル構成情報を含めて通信フレームを生成し、
前記使用チャネル設定部は、
前記通信フレーム検出手段により検出された通信フレームの非競合チャネルヘッダに含まれている非競合チャネル構成情報に基づいて、非競合チャネルに割り当てられたトーンとスロットとの組合せを特定すること
を特徴とする通信装置。
【請求項３】
請求項１に記載の通信装置であって、
前記通信フレーム生成手段は、
マルチトーン変調に用いるトーン各々の品質を測定するための品質検出信号を含めて通信フレームを生成し、
前記使用チャネル設定部は、
非競合チャネルが予め設定されている場合、前記通信フレーム検出手段により検出された通信フレームの品質検出信号に基づいて、非競合チャネルに割り当てるトーンとスロットとの組合せを決定すること
を特徴とする通信装置。
【請求項４】
マルチトーン変調方式を用いた通信方法であって、
非競合チャネルを使用してデータ（非競合チャネルデータと呼ぶ）を送信する通信装置が、非競合チャネル同期信号および競合制御スペースを含む非競合チャネルヘッダを通信媒体上に送信すると共に、非競合チャネルに割り当てられたトーン（周波数）とスロット（時間）との組合せを用いてマルチトーン変調された非競合チャネルデータを格納する非競合データ部を、送信した非競合チャネル同期信号に同期させて前記通信媒体上に送信し、
競合チャネルを使用してデータ（競合チャネルデータと呼ぶ）を送信する通信装置が、前記通信媒体上を伝送する非競合チャネルヘッダ同期信号を検出し、検出した非競合チャネルヘッダ同期信号により特定される競合制御スペースでキャリアセンスを行い、競合チャネルを獲得した場合に、非競合チャネルに割り当てられたトーンとスロットとの組合せ以外のトーンとスロットとの組合せを用いてマルチトーン変調された競合チャネルデータを格納する競合データ部を、前記通信媒体上を伝送する非競合チャネルデータ部と多重化されるように、検出した非競合チャネル同期信号に同期させて前記通信媒体上に送信すること
を特徴とする通信方法。
【請求項５】
請求項４に記載の通信方法であって、
非競合チャネルデータを受信する通信装置が、前記通信媒体上を伝送する非競合チャネル同期信号を検出し、検出した非競合チャネル同期信号に基づいて、前記通信媒体上を伝送する非競合データ部を特定し、特定した非競合データ部から、非競合チャネルに割り当てられたトーンとスロットとの組合せを用いてマルチトーン変調された非競合チャネルデータを復調し、
競合チャネルデータを受信する通信装置が、前記通信媒体上を伝送する非競合チャネル同期信号を検出し、検出した非競合チャネル同期信号に基づいて、前記通信媒体上を伝送する競合データ部を特定し、特定した競合データ部から、非競合チャネルに割り当てられたトーンとスロットとの組合せ以外のトーンとスロットとの組合せを用いてマルチトーン変調された競合チャネルデータを復調すること
を特徴とする通信方法。
【請求項６】
請求項４又は５に記載の通信方法であって、
非競合チャネルデータあるいは競合チャネルデータを送信する通信装置が、マルチトーン変調に用いるトーン各々の品質を測定するための品質検出信号を、非競合チャネルヘッダに含めて前記通信媒体上に送信し、
非競合チャネルデータを送信する通信装置が、前記通信媒体上を伝送する品質検出信号を検出し、検出した品質検出信号に基づいてマルチトーン変調に用いるトーン各々の品質を測定し、該測定結果に基づいて、非競合チャネルデータを送信する際に利用するトーンとスロットとの組合せを決定すること
を特徴とする通信方法。
【請求項７】
請求項６に記載の通信方法であって、
非競合チャネルデータを送信する通信装置が、非競合チャネルに割り当てられたトーンとスロットとの組合せを特定するための非競合チャネル構成情報を、非競合チャネルヘッダに含めて前記通信媒体上に送信し、
非競合チャネルデータおよび競合チャネルデータを受信する通信装置が、前記通信媒体上を伝送する非競合チャネル構成情報を検出し、検出した非競合チャネル構成情報を用いて非競合チャネルおよび競合チャネルに割り当てられたトーンとスロットとの組合せを特定すること
を特徴とする通信方法。
【発明の詳細な説明】
【技術分野】
【０００１】
本発明は、ＦＨ-ＭＭＦＳＫ（Frequency Hopping - M-ary Multilevel FSK）、ＦＨ-ＭＭＭＦＳＫ（Frequency Hopping - M-ary Multilevel Multitone FSK）、および、ＯＦＤＭ（Orthogonal Frequency Division Multiplexing）などのマルチトーン変調方式を用いた通信技術に関する。
【背景技術】
【０００２】
特許文献１には、基準局と複数の端末局とから構成されるデマンドアサイメント方式のＴＤＭＡ（Time Division Multiple Access）無線通信方式において、タイムスロットの割り当てを行う技術が開示されている。該技術において、基準局は、端末局からタイムスロットの割り当て要求を受信した場合、要求元端末局の優先順位と割り当てルールとを参照し、優先順位の高い端末局に優先的にタイムスロットを割り当てる。
【０００３】
また、特許文献２には、自律分散的なアクセス制御を行う無線パケット通信システムにおけるベスト・エフォート型データ送信時の優先制御を、システム全体で行う技術が開示されている。該技術において、無線基地局は、配下の無線端末との間で単位時間Ｔｓ当たりに送受信されるデータの量がしきい値Ｒｄを連続的に超えているときに優先度の低いサービスクラスに変更し、また、優先度の低いサービスクラスに設定した無線端末との間で単位時間Ｔｓ当たりに送受信されるベストエフォート型データの量がしきい値Ｒｕを連続的に下回ったときに該無線端末との間の送受信のサービスクラスを優先度の高いものに変更する。
【０００４】
【特許文献１】特開２０００-３４１１９２号公報
【特許文献２】特開２００２-２４７０４２号公報
【発明の開示】
【発明が解決しようとする課題】
【０００５】
ところで、ＦＨ-ＭＭＦＳＫ、ＦＨ-ＭＭＭＦＳＫ、ＯＦＤＭなどのマルチトーン変調方式（複数のトーン（周波数）を用いてベースバンドを変調する方式）を用いてネットワークを構築する場合、ＴＤＭＡにより各通信路の帯域を保証するのが一般的である。しかし、ＴＤＭＡ方式により、単に時分割で各通信路の帯域を保証したのでは、マルチパスの影響等により品質劣化したトーンに、再送が許されないストリームデータが割り当てられた場合、該ストリームデータの欠落が生じ、ストリーミング再生の停止等を招く。したがって、マルチトーン変調方式を用いてネットワークを構築する場合にも、通信の優先制御を実施できることが好ましい。なお、上述の特許文献１、２に記載のＴＤＭＡにおける通信の優先制御技術は、通信に割り当てるタイムスロットの優先制御に関するものであり、上述のような場合を考慮していない。
【０００６】
本発明は上記事情に鑑みてなされたものであり、本発明の目的は、マルチトーン変調方式を用いた優先制御技術を提供することにある。
【課題を解決するための手段】
【０００７】
上記課題を解決するために、本発明では、非競合チャネルを設け、該非競合チャネルに例えば品質劣化の少ないトーン（周波数）およびスロット（時間）を割り当てる。優先チャネルが割り当てられていないトーンおよびスロットは、競合チャネルに割り当てる。キャリアセンスは、非競合チャネルおよび競合チャネルを格納するペイロードに付加された非競合チャネルヘッダ内に設けられた保護期間（競合制御スペース）で行う。また、非競合チャネルに割り当てられたトーンおよびスロットを示す情報（非競合チャネル構成情報）は、非競合チャネルヘッダに含める。競合チャネルが割り当てられたトーンおよびスロットは、非競合チャネルヘッダの非競合チャネル構成情報により特定される非競合チャネルのトーンおよびスロットと、予め定められたペイロードの構成情報（トーンおよびスロットの情報）とから特定する。
【０００８】
例えば、マルチトーン変調方式を用いた通信方法であって、
非競合チャネルを使用してデータ（非競合チャネルデータと呼ぶ）を送信する通信装置が、非競合チャネル同期信号および競合制御スペースを含む非競合チャネルヘッダを通信媒体上に送信すると共に、非競合チャネルに割り当てられたトーン（周波数）とスロット（時間）との組合せを用いてマルチトーン変調された非競合チャネルデータを格納する非競合データ部を、送信した非競合チャネル同期信号に同期させて前記通信媒体上に送信し、
競合チャネルを使用してデータ（競合チャネルデータと呼ぶ）を送信する通信装置が、前記通信媒体上を伝送する非競合チャネルヘッダ同期信号を検出し、検出した非競合チャネルヘッダ同期信号により特定される競合制御スペースでキャリアセンスを行い、競合チャネルを獲得した場合に、非競合チャネルに割り当てられたトーンとスロットとの組合せ以外のトーンとスロットとの組合せを用いてマルチトーン変調された競合チャネルデータを格納する競合データ部を、前記通信媒体上を伝送する非競合データ部と多重化されるように、検出した非競合チャネル同期信号に同期させて前記通信媒体上に送信する。
【０００９】
また、本発明のマルチトーン変調方式を用いた通信方法は、
非競合チャネルデータを受信する通信装置が、前記通信媒体上を伝送する非競合チャネル同期信号を検出し、検出した非競合チャネル同期信号に基づいて、前記通信媒体上を伝送する非競合データ部を特定し、特定した非競合データ部から、非競合チャネルに割り当てられたトーンとスロットとの組合せを用いてマルチトーン変調された非競合チャネルデータを復調し、
競合チャネルデータを受信する通信装置が、前記通信媒体上を伝送する非競合チャネル同期信号を検出し、検出した非競合チャネル同期信号に基づいて、前記通信媒体上を伝送する競合データ部を特定し、特定した競合データ部から、非競合チャネルに割り当てられたトーンとスロットとの組合せ以外のトーンとスロットとの組合せを用いてマルチトーン変調された競合チャネルデータを復調する。
【００１０】
また、本発明のマルチトーン変調方式を用いた通信装置は、
競合チャネルおよび非競合チャネルを利用してデータを送信する送信部と、競合チャネルおよび非競合チャネルを利用してデータを受信する受信部と、データ送受に用いるチャネルのトーン（周波数）とスロット（時間）との組合せを設定する使用チャネル設定部と、競合チャネル制御部と、を有し、
前記送信部は、
前記使用チャネル設定部により設定されたトーンとスロットとの組合せを用いてデータをマルチトーン変調するマルチトーン変調手段と、
前記マルチトーン変調手段によりマルチトーン変調されたデータを格納した通信フレームを生成する通信フレーム生成手段と、
前記通信フレーム生成手段で生成された通信フレームを通信媒体に送信する送信用ＡＦＥ（Analog Front End）手段と、を有し、
前記受信部は、
前記通信媒体から変調信号を受信する受信用ＡＦＥ手段と、
前記受信用ＡＦＥ手段より出力された変調信号から通信フレームを検出する通信フレーム検出手段と、
前記通信フレーム検出手段により検出された通信フレームに含まれているマルチトーン変調されたデータを、前記使用チャネル設定部により設定されたトーンとスロットとの組合せを用いて復調するマルチトーン復調手段と、を有し、
前記使用チャネル設定部は、
データ送受に用いるチャネルとして非競合チャネルが予め設定されている場合、前記送信部および前記受信部に、非競合チャネルに割り当てられたトーンとスロットとの組合せを設定する処理と、データ送受に用いるチャネルとして競合チャネルが予め設定されている場合、前記送信部および前記受信部に、非競合チャネルに割り当てられたトーンとスロットとの組合せ以外のトーンとスロットとの組合せを設定する処理と、を行い、
前記通信フレーム生成手段は、
非競合チャネルが予め設定されている場合に、非競合チャネルヘッダ同期信号および競合制御スペースを含む非競合チャネルヘッダと、前記使用チャネル設定部で設定されたトーンとスロットとの組合せで前記マルチトーン変調手段によりマルチトーン変調されたデータを含む非競合データ部とを有する通信フレームを生成する処理と、
競合チャネルが予め設定されている場合に、通信媒体上に存在する通信フレームの非競合データ部に多重化される、前記使用チャネル設定部で設定されたトーンとスロットとの組合せで前記マルチトーン変調手段によりマルチトーン変調されたデータを含む競合データ部を生成する処理と、を行い、
前記競合チャネル制御部は、
競合チャネルが予め設定されている場合であって、通信媒体上に存在する通信フレームの非競合チャネルヘッダ同期信号により特定される競合制御スペースに他のキャリア出力が検出されなかった場合に、前記競合データ部の生成を前記送信部に指示する。
【発明の効果】
【００１１】
本発明によれば、競合チャネルとは別に非競合チャネルを設け、両チャネルを非競合チャネルヘッダで特定できるようにしている。また、競合チャネル獲得のためのキャリアセンスは、非競合チャネルヘッダ内に設けられた競合制御スペースで行う。このようにすることで、マルチトーン変調方式を用いた優先制御技術を提供できる。
【発明を実施するための最良の形態】
【００１２】
以下、本発明の実施の形態について説明する。
【００１３】
図１は本発明の一実施形態が適用されたネットワークシステムの概略図である。図示するように、本実施形態のネットワークシステムは、ＰＣや情報家電等の情報処理装置２が接続された通信装置１が、電力線等の通信媒体３を介して複数接続されて構成される。通信装置１は、ＦＨ-ＭＭＭＦＳＫ等により他の通信装置１と通信を行なう。
【００１４】
ここで、複数の通信装置が競合して通信を行なう場合、例えばＣＳＭＡ（Carrier Sense Multiple Access）を用いる。以下、競合チャネルをＣＳＭＡチャネルと読み替え、特定のデータを優先的に通信する非競合チャネルを優先チャネルと読み替える。また、マルチトーン変調はＦＨ-ＭＭＭＦＳＫを例にして説明する。
【００１５】
本実施形態のネットワークシステムは、通信媒体３上にＣＳＭＡチャネルのみが伝送するＣＳＭＡ単独モードと、通信媒体３上にＣＳＭＡチャネルおよび優先制御のためにＣＳＭＡチャネルとは別途設けられた優先チャネルが混在するＣＳＭＡ/優先チャネル混在モードのいずれかで動作する。
【００１６】
図２（Ａ）はＣＳＭＡ単独モードの場合に通信装置１間で送受される通信フレームを模式的に表した図である。図示するように、ＣＳＭＡ単独モード用の通信フレーム３１０は、ＣＳＭＡチャネルヘッダ３１１と、ＦＨ-ＭＭＭＦＳＫ信号で構成されたペイロード３１２とを有する。ＣＳＭＡチャネルヘッダ３１１は通信フレーム３１０を認識するためのＣＳＭＡ同期信号３１１１と、ＳＮ（Signal to Noise）検出信号３１１２とを有する。
【００１７】
ＳＮ検出信号３１１２は、後述するＣＳＭＡチャネルデータ３１３の送信元へ優先チャネルでデータを送信する場合に利用するトーン(品質劣化の少ないトーン）を検出するためのものであり、図示していないが、ＦＨ-ＭＭＭＦＳＫに利用される全てのトーンの合成信号である全トーン合成信号と、信号無しの区間である無信号とを有する。ペイロード３１２に格納されているＦＨ-ＭＭＭＦＳＫ信号は、ＣＳＭＡチャネルデータ３１３である。ＣＳＭＡチャネルデータ３１３は、送信元アドレス３１３１と、送信先アドレス３１３２と、送信データ３１３３とを有する。
【００１８】
図２（Ｂ）はＣＳＭＡ/優先チャネル混在モードの場合に通信装置１間で送受される通信フレームを模式的に表した図である。図示するように、ＣＳＭＡ/優先チャネル混在モード用の通信フレーム３２０は、優先チャネルヘッダ３２１と、ＦＨ-ＭＭＭＦＳＫ信号で構成されたペイロード３２２とを有する。優先チャネルヘッダ３２１は、通信フレーム３２０を認識するための優先チャネル同期信号３２１１と、優先チャネルに利用するホッピング、トーン等を特定するための優先チャネル構成情報３２１２と、ＳＮ検出信号３２１３と、ＳＮ検出信号３２１５と、優先チャネル構成情報３２１２およびＳＮ検出信号３２１３間に設けられた、キャリアセンスのための保護期間であるＣＳＭＡチャネルギャップ３２１４とを有する。
【００１９】
ＣＳＭＡチャネルギャップ３２１４内にＣＳＭＡ同期信号３２１５を出力した通信装置１がＣＳＭＡチャネルを利用することができる。ＳＮ検出信号３２１３は、後述する優先チャネルデータ３２３の送信元へ優先チャネルでデータを送信する場合に利用するトーン(品質劣化の少ないトーン）を検出するためのものである。一方、ＳＮ検出信号３２１５は、後述するＣＳＭＡチャネルデータ３２４の送信元へ優先チャネルでデータを送信する場合に利用するトーンを検出するためのものである。ＳＮ検出信号３２１３、３２１５は、図示していないが、ＦＨ-ＭＭＭＦＳＫに利用される全てのトーンの合成信号である全トーン合成信号と、信号無しの区間である無信号とを有する。ペイロード３２２に格納されているＦＨ-ＭＭＭＦＳＫ信号は、優先チャネルデータ３２３、あるいは優先チャネルデータ３２３およびＣＳＭＡチャネルデータ３２４の混合データである。優先チャネルデータ３２３は、送信元アドレス３２３１と、送信先アドレス３２３２と、送信データ３２３３とを有する。同様に、ＣＳＭＡチャネルデータ３２４は、送信元アドレス３２４１と、送信先アドレス３２４２と、送信データ３２４３とを有する。
【００２０】
図３（Ａ）はＣＳＭＡ単独モード用の通信フレーム３１０のペイロード３１２に格納されるＦＨ-ＭＭＭＦＳＫ信号を模式的に表した図である。また、図３（Ｂ）はＣＳＭＡ/優先チャネル混在モード用の通信フレーム３２０のペイロード３２２に格納されるＦＨ-ＭＭＭＦＳＫ信号を模式的に表した図である。ここでは、トーン数８、スロット数１０のＦＨ-ＭＭＭＦＳＫ信号がペイロード３１２、３２２に格納されている場合を例示している。また、図３（Ａ）、（Ｂ）において、トーンとスロットとの組合せにより特定される要素３３０のうち、ハッチングされているものが優先チャネルに割り当てられた要素であり、無地のものがＣＳＭＡチャネルに割り当てられた要素である。図示するように、ＣＳＭＡ単独モードでは、全ての要素３３０がＣＳＭＡチャネルに割り当てられる。一方、ＣＳＭＡ/優先チャネル混在モードでは、一部の要素３３０（ここでは、第１〜５スロット各々の第１、４、５、８トーン）が優先チャネルに割り当てられ、残りの要素３３０がＣＳＭＡチャネルに割り当てられる。品質劣化の少ないトーンを優先チャネルに割り当てることで、再送が許されないストリームデータ等の転送に適した優先チャネルを実現できる。
【００２１】
なお、通信フレーム３１０、３２０のペイロード３１２、３２２は、複数ホッピング分のＦＨ-ＭＭＭＦＳＫ信号で構成される。本実施形態では、説明の簡略化のために、図３に示すように、ペイロード３１２、３２２のスロット数を１０とし、第１スロット〜第５スロットからなる第１ホッピングのＦＨ-ＭＭＭＦＳＫ信号と、第６スロット〜第１０スロットからなる第２ホッピングのＦＨ-ＭＭＭＦＳＫ信号とで、ペイロード３１２、３２２が構成されるものとする。
【００２２】
図４は通信装置１の概略図である。図示するように、本実施形態の通信装置１は、送信部１１と、受信部１２と、使用チャネル設定部１３と、ＣＳＭＡ/ＣＡ（Collision Avoidance）制御部１４と、ＳＮテーブル記憶部１５と、を有する。
【００２３】
送信部１１は、情報処理装置２から送られてきた送信データをＦＨ-ＭＭＭＦＳＫ信号に変換し出力するＦＨ-ＭＭＭＦＳＫ変調部１１１と、ＦＨ-ＭＭＭＦＳＫ変調部１１１より出力されたＦＨ-ＭＭＭＦＳＫ信号をペイロードに格納した通信フレーム（ＣＳＭＡ単独モード用の通信フレーム３１０あるいはＣＳＭＡ/優先チャネル混在モード用の通信フレーム３２０）を生成し出力する通信フレーム生成部１１２と、通信フレーム部１１２より出力された通信フレーム（デジタル信号）をアナログ信号に変換して出力するＤＡ（Digital Analog）変換部１１３と、ＤＡ変換部１１３により出力されたアナログ信号を通信媒体３に出力するＡＦＥ（Analog Front End）部１１４と、を有する。
【００２４】
図５はＦＨ-ＭＭＭＦＳＫ変調部１１１の概略図である。図示するように、ＦＨ-ＭＭＭＦＳＫ変調部１１１は、Ｓ/Ｐ（Serial/Parallel）変換部１１１１と、レベル変換部１１１２と、パターン変換部１１１３と、ホッピングパターン記憶部１１１４と、加算部１１１５と、剰余演算部１１１６と、レベル/トーン変換部１１１７と、レベル/トーン変換テーブル記憶部１１１８とを有する。
【００２５】
Ｓ/Ｐ変換部１１１１は、通信フレーム３１０、３２０のペイロード３１２、３２２を構成する第１、第２ホッピング各々に対応付けられたビット数Ｋを、後述する使用チャネル設定部１３より受信した使用チャネル構成情報から取得する。次に、第１ホッピングに対応付けられたビット数Ｋ１に、このビット数Ｋ１に応じて定まるビット数Ｋ２を加算したビット数（Ｋ１+Ｋ２）のシリアルデータ（送信データ）を情報処理装置２から取得し、該取得したシリアルデータをパラレルデータに変換する。そして、上位（または下位）Ｋ１ビットをレベル変換部１１１２に出力し、残りのＫ２ビットをパターン変換部１１１３に出力する。それから、第２ホッピングに対応付けられたビット数Ｋ１に、このビット数Ｋ１に応じて定まるビット数Ｋ２を加算したビット数（Ｋ１+Ｋ２）のシリアルデータを情報処理装置２から取得し、該取得したシリアルデータをパラレルデータに変換する。そして、上位（または下位）Ｋ１ビットをレベル変換部１１１２に出力し、残りのＫ２ビットをパターン変換部１１１３に出力する。ここで、ビット数Ｋ１は優先チャネルに使用可能なトーン数によって定まる値である。また、ビット数Ｋ２は優先チャネルに利用可能なトーンを用いて実現可能なホッピングパターンの数であり、例えばビット数Ｋ１に経験に基づいて定められた係数Ｗを乗算することで算出される。
【００２６】
なお、あるホッピングに対応するビット数Ｋ１が０の場合、当該ホッピングについて情報処理装置２からシリアルデータを取得してパラレルデータに変換し、レベル変換部１１１２およびパターン変換部１１１３に出力する処理は行われない。
【００２７】
レベル変換部１１１２は、Ｓ/Ｐ変換部１１１１から入力されたＫ１ビットのパラレルデータを、当該パラレルデータが示す値に応じたレベルに変換する。そして、変換されたレベルが１ホッピングを構成するスロット数分連続して構成されたレベルパターンを、該Ｋ１ビットのパラレルデータが取り得る値の数（レベル数）と共に、加算部１１１５に出力する。図６はレベル変換部１１１２が出力するレベルパターン１１１２１を模試的に表した図である。上述したように、本実施形態では、通信フレーム３１０、３２０のペイロード３１２、３２２を２ホッピング分のＦＨ-ＭＭＭＦＳＫ信号で構成し、１ホッピング分のＦＨ-ＭＭＭＦＳＫ信号のスロット数を５としている。この例では、使用チャネル構成情報に含まれているビット数Ｋ１＝３であり、Ｋ１ビットのパラレルデータが「１００」である場合を示している。
【００２８】
ホッピングパターン記憶部１１１４は、予め定められた複数の異なるレベル数毎に、ホッピングパターングループを有する。ホッピングパターングループは、対応するレベル数を表すのに必要なビットデータのビット数に上記の係数Ｗを乗算することで得られるビット数のビットデータがとり得る値各々に対応付けられたホッピングパターンが記憶されている。つまり、ホッピングパターンに対応するレベル数を表すのに必要なデータのビット数をＳ/Ｐ変換部１１１１からレベル変換部１１１２に入力されるビットデータのビット数Ｋ１とした場合、当該ホッピングパターングループのホッピングパターン数はＳ/Ｐ変換部１１１１からパターン変換部１１１３に入力されるビット数Ｋ２のビットデータが取り得る値の数と一致する。図７はホッピングパターン記憶部１１１４に記憶されているホッピングパターン１１１４１を模試的に表した図である。ここで、ホッピングパターンのスロット数は１ホッピング分のスロット数である。
【００２９】
上述したように、本実施形態では、通信フレーム３１０、３２０のペイロード３１２、３２２を２ホッピング分のＦＨ-ＭＭＭＦＳＫ信号で構成し、１ホッピング分のＦＨ-ＭＭＭＦＳＫ信号のスロット数を５としている。この例では使用チャネル構成情報に含まれているビット数Ｋ１＝３である場合を示している。なお、ビットデータがとり得る各値に対応付けるホッピングパターンは、スロット数×レベル数のマトリックスがとり得るパターンのうち、ホッピングパターンとして使える組合せ（他のホッピングパターンと識別可能な程度にバラツキがある組合せ）の中から選択される。
【００３０】
パターン変換部１１１３は、Ｓ/Ｐ変換部１１１１から入力されたＫ２ビットのパラレルデータが示す値に応じたホッピングパターンを、Ｓ/Ｐ変換部１１１１からレベル変換部１１１２に入力されたビット数Ｋ１のビットデータが取り得るレベル数に対応付けられてホッピングパターン記憶部１１１４に記憶されているホッピングパターングループから読み出して加算部１１１５に出力する。
【００３１】
加算部１１１５は、レベル変換部１１１２から出力されたレベルパターンのレベルとパターン変換部１１１３から出力されたホッピングパターンのレベルとをスロット毎に加算する。そして、加算結果を、レベル変換部１１１２から出力されたレベル数と共に、剰余演算部１１１６に出力する。
【００３２】
剰余演算部１１１６は、加算部１１１５から出力される各スロットの加算結果に対して、該加算結果と共に加算部１１１５から出力されるレベル数（処理対象のホッピングに対応付けられて使用チャネル構成情報に登録されているビット数Ｋ１のビットデータがとり得る値の数）の剰余を演算する。つまり、加算結果をｘ、レベル数をｎとした場合、ｘ（ｍｏｄ ｎ）を計算する。そして、その計算結果をレベルとして、加算部１１１５から出力されたレベル数と共に、レベル/トーン変換部１１１７に出力する。なお、計算結果が０の場合は、レベル数ｎをレベルとして出力する。
【００３３】
レベル/トーン変換テーブル記憶部１１１８は、予め定められた複数の異なるビット数毎に、レベル/トーン変換テーブルを有する。レベル/トーン変換テーブルには、対応するビット数のビットデータが取り得る値（レベル）毎に、当該値に対応するトーンの組合せ（周波数スペクトル）が登録されている。図８はレベル/トーン変換テーブル記憶部１１１８に登録されているレベル/トーン変換テーブル１１１８１を模式的に表した図である。図示するように、対応するビット数のビットデータがとり得る値（レベル）毎に、ｍ個のトーンのうちの少なくとも１個のトーンの組合せが対応付けられている。ここで、トーン数ｍは、レベル/トーン変換テーブル１１１８１が対応するビット数のビットデータがとり得る値（レベル）の数に応じて予め定められている。なお、利用されるトーンは、スロット周波数の整数倍である。
【００３４】
レベル/トーン変換部１１１７は、剰余演算部１１１６から出力されたレベル数をビットデータで表現するのに必要なビット数（処理対象のホッピングに対応付けられて使用チャネル構成情報に登録されているビット数Ｋ１）に対応付けられて、レベル/トーン変換テーブル記憶部１１１８に記憶されているレベル/トーン変換テーブルを用いて、剰余演算部１１１６から出力された各スロットのレベルを、トーンの組合せ（周波数スペクトル）に変換し出力する。図９はレベル/トーン変換部１１１７から出力される１ホッピング分の送信スペクトル１１１７１を模式的に表した図である。この例では、加算部１１１５に入力されたレベルパターン、ホッピングパターンが図６、図７に示すパターンであり、剰余演算部１１１６から出力されたレベル数をビットデータで表現するのに必要なビット数に対応付けられてレベル/トーン変換テーブル記憶部１１１８に記憶されているレベル/トーン変換テーブルが図８に示すテーブルである場合に、レベル/トーン変換部１１１７から出力される送信スペクトルを示している。
【００３５】
図１０は通信フレーム生成部１１２の概略図である。図示するように、通信フレーム生成部１１２は、ペイロード生成部１１２１と、ＳＮ検出信号付加部１１２２と、ＩＦＦＴ（Inverse Fast Fourier Transform）部１１２３と、ＣＳＭＡ同期信号付加部１１２４と、優先チャネル構成情報付加部１１２５と、優先チャネル同期信号付加部１１２６と、を有する。
【００３６】
ペイロード生成部１１２１は、通信フレーム３１０、３２０のペイロード３１２、３２２を生成する。具体的には、ペイロード３１２、３２２を構成する第１、第２ホッピング各々に対応付けられたビット数Ｋを、後述する使用チャネル設定部１３より受信した使用チャネル構成情報から取得する。次に、第１ホッピングに対応付けられたビット数Ｋが０でない場合、ＦＨ-ＭＭＭＦＳＫ変調部１１１から最初に出力された１ホッピング分の各スロットのトーン組合せを第１ホッピングのＦＨ-ＭＭＭＦＳＫ信号とする。一方、第１ホッピングに対応付けられたビット数Ｋが０の場合、いずれのトーンも含んでいない１ホッピング分のスロットを生成し、これらを第１ホッピングのＦＨ-ＭＭＭＦＳＫ信号とする。次に、第２ホッピングに対応付けられたビット数Ｋ１が０でない場合、ＦＨ-ＭＭＭＦＳＫ変調部１１１から２番目に出力された（但し、第１ホッピングに対応付けられたビット数Ｋが０の場合は最初に出力された）１ホッピング分の各スロットのトーン組合せを第２ホッピングのＦＨ-ＭＭＭＦＳＫ信号とする。一方、第２ホッピングに対応付けられたビット数Ｋ１が０の場合、いずれのトーンも含んでいない１ホッピング分のスロットを生成し、これらを第２ホッピングのＦＨ-ＭＭＭＦＳＫ信号とする。そして、第１ホッピングのＦＨ-ＭＭＭＦＳＫ信号および第２ホッピングのＦＨ-ＭＭＭＦＳＫ信号からなるペイロード３１２、３２２を生成し出力する。
【００３７】
ＳＮ検出信号付加部１１２２は、ペイロード生成部１１２１から出力されたペイロード３１２、３２２に、ＳＮ検出信号３１１２、３２１３、３２１５を付加する（図２参照）。具体的には、後述する使用チャネル設定部１３から受信したモード情報により特定される動作モードがＣＳＭＡ単独モードである場合、ペイロード３１２の先頭にＳＮ検出信号３１１２を付加する。また、該モード情報により特定される動作モードがＣＳＭＡ/優先チャネル混在モードで、且つ、後述する使用チャネル設定部１３から受信した使用チャネル種別情報が優先チャネルである場合（自装置が優先チャネルを利用する場合）、ペイロード３２２の先頭からＳＮ検出信号３２１５分のスペースだけ前方の位置に、ＳＮ検出信号３２１３を付加する。一方、該モード情報により特定される動作モードがＣＳＭＡ/優先チャネル混在モードで、且つ、後述する使用チャネル設定部１３から受信した使用チャネル種別情報がＣＳＭＡチャネルである場合（自装置がＣＳＭＡチャネルを利用する場合）、ペイロード３２２の先頭にＳＮ検出信号３２１５を付加する。
【００３８】
上述したように、ＳＮ検出信号３１１２、３２１３、３２１５は、全トーン合成信号と無信号とを有する。全トーン合成信号は、レベル/トーン変換テーブル記憶部１１１８に記憶されている各レベル/トーン変換テーブル１１８１で使用されている全てのトーン、つまりＦＨ-ＭＭＭＦＳＫで利用される全てのトーンの合成信号である。なお、全トーン合成信号および無信号各々の信号継続時間はスロットの整数倍（例えば１スロット分）とする。
【００３９】
ＩＦＦＴ部１１２３は、ＳＮ検出信号付加部１１２２からの出力信号（ＳＮ検出信号３１１２が付加されたペイロード３１２、ＳＮ検出信号３２１３が付加されたペイロード３２２、および、ＳＮ検出信号３２１５が付加されたペイロード３２２のいずれか）に、ＩＦＦＴ処理を施してスロット毎の波形データに変換する。
【００４０】
ＣＳＭＡ同期信号付加部１１２４は、後述する使用チャネル設定部１３から受信したモード情報により特定される動作モードがＣＳＭＡ単独モードである場合、後述するＣＳＭＡ/ＣＡ制御部１４より受信したＣＳＭＡチャネル送信指示に従い、ＩＦＦＴ部１１２３から出力された、ＳＮ検出信号３１１２が付加されたペイロード３１２の波形データの先頭に、ＣＳＭＡ同期信号３１１１を付加する。これにより、ＣＳＭＡ単独モードで使用するＣＳＭＡチャネルの通信フレーム３１０を生成する（図２（Ａ）参照）。
【００４１】
また、ＣＳＭＡ同期信号付加部１１２４は、該モード情報により特定される動作モードがＣＳＭＡ/優先チャネル混在モードで、且つ、後述する使用チャネル設定部１３から受信した使用チャネル種別情報がＣＳＭＡチャネルである場合（自装置がＣＳＭＡチャネルを利用する場合）、後述するＣＳＭＡ/ＣＡ制御部１４より受信したＣＳＭＡチャネル送信指示に従い、ＩＦＦＴ部１１２３から出力されたペイロード３２２の波形データの先頭より、該ＣＳＭＡチャネル送信指示により指定された時間だけ前方の位置に、ＣＳＭＡ同期信号３２１５を付加する。これにより、ＣＳＭＡ/優先チャネル混在モードで使用するＣＳＭＡチャネルの通信フレーム３２０を生成する（図２（Ｂ）参照）。
【００４２】
優先チャネル構成情報付加部１１２５は、後述する使用チャネル設定部１３から受信した動作モード情報により特定される動作モードがＣＳＭＡ/優先チャネル混在モードで、且つ、後述する使用チャネル設定部１３から受信した使用チャネル種別情報が優先チャネルである場合（自装置が優先チャネルを利用する場合）、後述する使用チャネル設定部１３から受信した使用チャネル構成情報を含む優先チャネル構成情報３２１２を作成する。そして、ＩＦＦＴ部１１２３から出力された、ＳＮ検出信号３２１３が付加されたペイロード３２２の波形データの先頭から、予め定められたＣＳＭＡチャネルギャップ３２１４だけ前方の位置に、この作成した優先チャネル構成情報３２１２を付加する（図２（Ｂ）参照）。
【００４３】
優先チャネル同期信号付加部１１２６は、後述する使用チャネル設定部１３から受信した動作モード情報により特定される動作モードがＣＳＭＡ/優先チャネル混在モードで、且つ、後述する使用チャネル設定部１３から受信した使用チャネル種別情報が優先チャネルである場合（自装置が優先チャネルを利用する場合）、優先チャネル構成情報付加部１１２５により付加された優先チャネル構成情報３２１２の先頭に、優先チャネル同期信号３２１１を付加する。これにより、ＣＳＭＡ/優先チャネル混在モードで使用する優先チャネルの通信フレーム３２０を生成する（図２（Ｂ）参照）。
【００４４】
図４に戻り説明を続ける。ＤＡ変換部１１３は、通信フレーム生成部１１２より出力された通信フレーム３１０、３２０をアナログ信号に変換する。ＡＦＥ部１１４は、このアナログ信号を通信媒体３上に出力する。
【００４５】
受信部１２は、ＡＦＥ部１２１と、ＡＤ（Analog Digital）変換部１２２と、通信フレーム検出部１２３と、ＦＨ-ＭＭＭＦＳＫ復調部１２４と、を有する。
【００４６】
ＡＦＥ部１２１は、通信媒体３上を伝送されるアナログ信号を受信する。ＡＤ（Analog Digital）変換部１２２は、ＡＦＥ部１２１が受信したアナログ信号をデジタル信号に変換し、通信フレーム検出部１２３に出力する。
【００４７】
通信フレーム検出部１２３は、ＡＤ変換部１２２より出力されたデジタル信号から通信フレーム３１０、３２０を検出する。図１１は通信フレーム検出部１２３の概略図である。図示するように、通信フレーム検出部１２３は、優先チャネル同期信号検出部１２３１と、優先チャネル構成情報検出部１２３２と、ＣＳＭＡ同期信号検出部１２３３と、ＦＦＴ（Fast Fourier Transform）部１２３４と、ＳＮ検出部１２３５と、使用チャネル抽出部１２３６と、を有する。
【００４８】
優先チャネル同期信号検出部１２３１は、ＡＤ変換部１２２より出力されたデジタル信号から優先チャネル同期信号３２１１の検出を試みる。そして、優先チャネル同期信号３２１１を検出したならば、優先チャネル同期検出信号を使用チャネル設定部１３に出力すると共に、通信フレーム１２３の各部１２３２〜１２３６に出力する。
【００４９】
優先チャネル構成情報検出部１２３２は、優先チャネル同期信号検出部１２３１から出力された優先チャネル同期検出信号に基づいて、ＡＤ変換部１２２より出力されたデジタル信号から優先チャネル構成情報３２１２を検出する。そして、検出した優先チャネル構成情報を使用チャネル設定部１３に出力する。
【００５０】
ＣＳＭＡ同期信号検出部１２３３は、ＡＤ変換部１２２より出力されたデジタル信号からＣＳＭＡ同期信号３１１１、３２１５の検出を試みる。ＣＳＭＡ同期信号３１１１、３２１５を検出しなかった場合は、ＣＳＭＡ同期無検出信号をＣＳＭＡ/ＣＡ制御部１４に出力し、一方、検出した場合は、ＣＳＭＡ同期検出信号をＣＳＭＡ/ＣＡ制御部１４、ＦＦＴ部１２３４、ＳＮ検出部１２３５および使用チャネル抽出部１２３６に出力する。
【００５１】
具体的には、優先チャネル同期信号検出部１２３１から優先チャネル同期検出信号が出力された場合は、優先チャネル同期検出信号によって特定されるＣＳＭＡチャネルギャップ３２１４の開始位置から所定時間経過するまでに、ＣＳＭＡ同期信号３２１５が検出されなかった場合にＣＳＭＡ同期無検出信号を出力し、一方、ＣＳＭＡ同期信号３２１５が検出された場合にＣＳＭＡ同期検出信号を出力する。
【００５２】
また、優先チャネル同期信号検出部１２３１から優先チャネル同期検出信号が出力されていない場合は、無信号状態となってから所定時間経過するまでに（通信フレーム３１０の終端位置から所定時間経過するまでに）、ＣＳＭＡ同期信号３１１１が検出されなかった場合にＣＳＭＡ同期無検出信号を出力し、一方、ＣＳＭＡ同期信号３１１１が検出された場合にＣＳＭＡ同期検出信号を出力する。
【００５３】
ＦＦＴ部１２３４は、ＡＤ変換部１２２より出力されたデジタル信号に含まれている通信フレーム３１０のＳＮ検出信号３１１２およびペイロード３１２を構成する各スロットの波形データにＦＦＴ処理を施して、周波数スペクトル（トーン組合せ）に変換し出力する。あるいは、ＡＤ変換部１２２より出力されたデジタル信号に含まれている通信フレーム３２０のＳＮ検出信号３２１３、３２１５およびペイロード３２２を構成する各スロットの波形データにＦＦＴ処理を施して、周波数スペクトル（トーン組合せ）に変換し出力する。
【００５４】
具体的には、優先チャネル同期信号検出部１２３１から優先チャネル同期検出信号が出力された場合、優先チャネル同期検出信号によって特定されるＳＮ検出信号３２１３、３２１５およびペイロード３２２を構成する各スロットの波形データにＦＦＴ処理を施して、周波数スペクトルに変換し出力する。
【００５５】
また、優先チャネル同期信号検出部１２３１から優先チャネル同期検出信号が出力されていない状態で、ＣＳＭＡ同期信号検出部１２３３からＣＳＭＡ同期検出信号が出力された場合、ＣＳＭＡ同期検出信号によって特定されるＳＮ検出信号３１１２およびペイロード３１２を構成する各スロットの波形データにＦＦＴ処理を施して、周波数スペクトルに変換し出力する。
【００５６】
ＳＮ検出部１２３５は、ＦＦＴ部１２３４より出力されたＳＮ検出信号３１１２、３２１３、３２１５を構成する各スロットの周波数スペクトルからＦＨ-ＭＭＭＦＳＫによる周波数ホッピングに利用可能な各トーンのＳＮを検出する。
【００５７】
具体的には、優先チャネル同期信号検出部１２３１から優先チャネル同期検出信号が出力された場合であって、且つ、ＣＳＭＡ同期信号検出部１２３３からＣＳＭＡ同期検出信号が出力された場合、優先チャネル同期検出信号に基づいてＳＮ検出信号３２１３を構成する各スロットの周波数スペクトルを特定する。次に、ＳＮ検出信号３２１３に含まれているトーン合成信号の周波数スペクトルに基づいて、ＦＨ-ＭＭＭＦＳＫによる周波数ホッピングに利用可能な各トーンの信号レベルを検出する。また、ＳＮ検出信号３２１３に含まれている無信号の周波数スペクトルに基づいて、ＦＨ-ＭＭＭＦＳＫによる周波数ホッピングに利用可能な各トーンのノイズレベルを検出する。そして、トーン毎に信号レベルに対するノイズレベルの比率であるＳＮを計算する。それから、計算したＳＮを、ＳＮテーブル記憶部１５に、ＦＨ-ＭＭＭＦＳＫ復調部１２４より通知された優先チャネルデータ３２３の送信元アドレス３２３１に対応付けて登録する。
【００５８】
また、優先チャネル同期信号検出部１２３１から優先チャネル同期検出信号が出力された場合であって、且つ、ＣＳＭＡ同期信号検出部１２３３からＣＳＭＡ同期無検出信号が出力された場合、優先チャネル同期検出信号に基づいてＳＮ検出信号３２１５を構成する各スロットの周波数スペクトルを特定する。次に、ＳＮ検出信号３２１５に含まれているトーン合成信号の周波数スペクトルに基づいて、ＦＨ-ＭＭＭＦＳＫによる周波数ホッピングに利用可能な各トーンの信号レベルを検出する。また、ＳＮ検出信号３２１５に含まれている無信号の周波数スペクトルに基づいて、ＦＨ-ＭＭＭＦＳＫによる周波数ホッピングに利用可能な各トーンのノイズレベルを検出する。そして、トーン毎に信号レベルに対するノイズレベルの比率であるＳＮを計算する。それから、計算したＳＮを、ＳＮテーブル記憶部１５に、ＦＨ-ＭＭＭＦＳＫ復調部１２４より通知されたＣＳＭＡチャネルデータ３２４の送信元アドレス３２４１に対応付けて登録する。
【００５９】
さらに、優先チャネル同期信号検出部１２３１から優先チャネル同期検出信号が出力されていない状態で、ＣＳＭＡ同期信号検出部１２３３からＣＳＭＡ同期検出信号が出力された場合、ＣＳＭＡ同期検出信号に基づいてＳＮ検出信号３１１２を構成する各スロットの周波数スペクトルを特定する。次に、ＳＮ検出信号３１１２に含まれているトーン合成信号の周波数スペクトルに基づいて、ＦＨ-ＭＭＭＦＳＫによる周波数ホッピングに利用可能な各トーンの信号レベルを検出する。また、ＳＮ検出信号３１１２に含まれている無信号の周波数スペクトルに基づいて、ＦＨ-ＭＭＭＦＳＫによる周波数ホッピングに利用可能な各トーンのノイズレベルを検出する。そして、トーン毎に信号レベルに対するノイズレベルの比率であるＳＮを計算する。それから、計算したＳＮを、ＳＮテーブル記憶部１５に、ＦＨ-ＭＭＭＦＳＫ復調部１２４より通知されたＣＳＭＡチャネルデータ３１３の送信元アドレス３１３１に対応付けて登録する。
【００６０】
使用チャネル抽出部１２３６は、ＦＦＴ部１２３４より出力されたペイロード３１０、３２０を構成する各スロットの周波数スペクトルから、受信対象チャネル（使用チャネル）のホッピングを構成する各スロットの周波数スペクトルを抽出し出力する。
【００６１】
具体的には、先ず、後述する使用チャネル設定部１３より受信した使用チャネル構成情報から、ペイロード３１２、３２２を構成する第１、第２ホッピング各々に対応付けられたビット数Ｋを取得する。
【００６２】
次に、優先チャネル同期信号検出部１２３１から優先チャネル同期検出信号が出力されている場合、第１ホッピングのビット数Ｋ１が０でないならば、該優先チャネル同期検出信号に基づいて、第１ホッピングを構成する各スロットの周波数スペクトルを特定し出力する。それから、第２ホッピングのビット数Ｋ１が０でないならば、該優先チャネル同期検出信号に基づいて、第２ホッピングを構成する各スロットの周波数スペクトルを特定し出力する（図３（Ｂ）参照）。
【００６３】
また、優先チャネル同期信号検出部１２３１から優先チャネル同期検出信号が出力されていない状態で、ＣＳＭＡ同期信号検出部１２３３からＣＳＭＡ同期検出信号が出力されている場合、第１ホッピングのビット数Ｋ１が０でないならば、該ＣＳＭＡ同期検出信号に基づいて、第１ホッピングを構成する各スロットの周波数スペクトルを特定し出力する。それから、第２ホッピングのビット数Ｋ１が０でないならば、該ＣＳＭＡ同期検出信号に基づいて、第２ホッピングを構成する各スロットの周波数スペクトルを特定し出力する（図３（Ａ）参照）。
【００６４】
図４に戻って説明を続ける。ＦＨ-ＭＭＭＦＳＫ復調部１２４は、通信フレーム検出部１２３から出力された使用チャネルのＦＨ-ＭＭＭＦＳＫ信号を受信データに変換し情報処理装置２に出力する。
【００６５】
図１２はＦＨ-ＭＭＭＦＳＫ復調部１２４の概略図である。図示するように、ＦＨ-ＭＭＭＦＳＫ復調部１２４は、レベル/トーン変換テーブル記憶部１２４１と、トーン/レベル変換部１２４２と、ホッピングパターン記憶部１２４３と、複数の減算部１２４４１〜１２４４ｎと、複数の剰余演算部１２４５１〜１２４５ｎと、多数決判定部１２４６と、Ｐ/Ｓ（Parallel/Serial）変換部１２４７と、を有する。
【００６６】
レベル/トーン変換テーブル記憶部１２４１には、予め定められた複数の異なるビット数毎に、当該ビット数に対応付けられてレベル/トーン変換テーブル記憶部１１１８に登録されているレベル/トーン変換テーブルと同じテーブルが登録されている。
【００６７】
トーン/レベル変換部１２４２は、後述する使用チャネル設定部１３より受信した使用チャネル構成情報から、ペイロード３１２、３２２を構成する第１、第２ホッピング各々に対応付けられたビット数Ｋ１を取得する。次に、第１ホッピングに対応付けられたビット数Ｋ１が０でない場合、該ビット数Ｋ１に対応付けられて、レベル/トーン変換テーブル記憶部１２４１に記憶されているレベル/トーン変換テーブルを用いて、通信フレーム検出部１２３から最初に出力された１ホッピング分の各スロットのトーン組合せ（周波数スペクトル）をレベルに変換し、該ビット数Ｋ１と共に減算部１２４４１〜１２４４ｎに出力する。次に、第２ホッピングに対応付けられたビット数Ｋ１が０でない場合、該ビット数Ｋ１に対応付けられて、レベル/トーン変換テーブル記憶部１２４１に記憶されているレベル/トーン変換テーブルを用いて、通信フレーム検出部１２３から２番目に出力された（但し、第１ホッピングに対応付けられたビット数Ｋ１が０の場合は最初に出力された）１ホッピング分の各スロットのトーン組合せをレベルに変換し、該ビット数Ｋ１と共に減算部１２４４１〜１２４４ｎに出力する。
【００６８】
ホッピングパターン記憶部１２４３には、予め定められた複数の異なるレベル数毎に、当該レベル数に対応付けられてホッピングパターン記憶部１１１４に登録されているホッピングパターングループと同じグループが記憶されている。
【００６９】
減算部１２４４１〜１２４４ｎは、ホッピングパターン記憶部２０６に記憶されているホッピングパターングループのうち最もホッピングパターン数の多いホッピングパターングループ（最大ホッピングパターングループと呼ぶ）のホッピングパターン数と同じ数だけ設けられている。また、減算部１２４４１〜１２４４ｎ各々は、最大ホッピングパターングループに属する各ホッピングパターンが対応する値毎に設けられており、トーン/レベル変換部１２４２から出力されたビット数Ｋ１のビットデータが取り得るレベル数に対応付けられてホッピングパターン記憶部２０６に記憶されているホッピングパターングループから、自身の減算部１２４４１〜１２４４ｎに対応付けられている値のホッピングパターンを読み出し、該読み出したホッピングパターンのレベルと、該ビット数Ｋ１と共にトーン/レベル変換部１２４２から出力された１ホッピング分のスロットのレベルとをスロット毎に減算し、その減算結果を該ビット数Ｋ１と共に出力する。ここで、ビット数Ｋ２は、ＦＨ-ＭＭＭＦＳＫ変調部１１１のＳ/Ｐ変換部１１１１が出力するビット数Ｋ１のパラレルデータおよびビット数Ｋ２のパラレルデータの関係と同様に定まる。なお、トーン/レベル変換部１２４２から出力されたビット数Ｋ１のビットデータが取り得るレベル数に対応付けられてホッピングパターン記憶部２０６に記憶されているホッピングパターングループに、自身の減算部１２４４１〜１２４４ｎに対応付けられている値のホッピングパターンがない場合は、減算処理を行わない。つまり、減算結果を出力しない。
【００７０】
剰余演算部１２４５１〜１２４５ｎも、減算部１２４４１〜１２４４ｎと同様に、最大ホッピングパターンのホッピングパターン数と同じ数だけ設けられている。また、剰余演算部１２４５１〜１２４５ｎ各々は、最大ホッピングパターングループに属する各ホッピングパターンが対応する値（レベル）毎に設けられており、同じ値に対応付けられている減算部１２４４１〜１２４４ｎから減算結果およびビット数Ｋ１が出力された場合に、該減算結果に対して、該ビット数Ｋ１のビットデータがとり得る最大値の剰余を演算する。つまり、減算結果をｙ、該ビット数Ｋ１のビットデータがとり得る最大値をｎとした場合、ｙ（ｍｏｄ ｎ）を計算する。そして、その計算結果を該ビット数Ｋ１と共に多数決判定部１２４６に出力する。
【００７１】
多数決判定部１２４６は、剰余演算部１２４５１〜１２４５ｎ各々からビット数Ｋ１と共に出力された１ホッピング分のスロットの計算結果に対して多数決判定を行い、同じ計算結果を持つスロットを最も多く含む１ホッピング分のスロットの計算結果を出力した剰余演算部１２４５１〜１２４５ｎを特定する。そして、特定した剰余演算部１２４５１〜１２４５ｎが最も多く出力したスロットの計算結果（レベル）に応じた値を持つ、該ビット数Ｋ１のビットデータを出力する。また、特定した剰余演算部１２４５１〜１２４５ｎに対応付けられている値を持つ、該ビット数Ｋ１に応じて定まるビット数Ｋ２のビットデータを出力する。
【００７２】
Ｐ/Ｓ変換部１２４７は、多数決判定部１２４６から出力された２つのパラレルデータを、一方を上位（あるいは下位）のビットデータとし、他方を残りのビットデータとする（Ｋ１+Ｋ２）ビットのシリアルデータ（受信データ）に変換し出力する。
【００７３】
また、Ｐ/Ｓ変換部１２４７は、受信データから送信元アドレスを検出する。具体的には、受信データがＣＳＭＡチャネルデータ３１３の場合は送信元アドレス３１３１を検出し、優先チャネルデータ３２３の場合は送信元アドレス３２３１を検出し、ＣＳＭＡチャネルデータの場合は送信元アドレス３２４１を検出する。そして、検出した送信元アドレスを通信フレーム検出部１２３に通知する。
【００７４】
図４に戻って説明を続ける。使用チャネル設定部１３は、予め定められたトーン数毎に、当該トーン数および１ホッピングを構成するスロット数で表現可能なレベル数（＝ホッピングパターン数）に対応するビット数Ｋ１（該レベル数をビットデータで表すのに必要なビット数）が登録されたビット数Ｋ管理テーブル（不図示）を有する。また、使用チャネル設定部１３には、データ送受に優先チャネルを使用するか、それとも、ＣＳＭＡチャネルを使用するかを示す使用チャネル種別情報が予め登録されている。また、使用チャネル設定部１３は、通信フレーム検出部１２３から送られてくる優先チャネル同期検出信号に基づいて、本実施形態のネットワークシステムがＣＳＭＡ単独モードおよびＣＳＭＡ/優先チャネル混在モードのいずれで動作しているかを検出する（モード切替処理）。さらに、使用チャネル設定部１３は、通信フレーム検出部１２３から送られてくる優先チャネル構成情報あるいはＳＮテーブル記憶部１５に記憶されているＳＮ情報に基づいて、使用チャネル構成情報を生成する（使用チャネル構成情報生成処理）。
【００７５】
図１３は使用チャネル設定部１３のモード切替処理を説明するためのフロー図である。
【００７６】
使用チャネル設定部１３は、通信フレーム検出部１２３から優先チャネル同期検出信号を受信した場合（Ｓ１３０１でＹＥＳ）、本実施形態のネットワークシステムがＣＳＭＡ/優先チャネル混在モードで動作していることを検出する（Ｓ１３０２）。そして、ＣＳＭＡ/優先チャネル混在モードを示すモード情報を、予め登録されている使用チャネル種別情報と共に、通信フレーム生成部１１２およびＣＳＭＡ/ＣＡ制御部１４に出力する（Ｓ１３０３）。それから、優先チャネル同期検出信号の未受信状態の継続時間を計測するためのタイマ（不図示）の計測値をリセットする（Ｓ１３０４）。
【００７７】
また、使用チャネル設定部１３は、優先チャネル同期検出信号の未受信状態の継続時間を計測するためのタイマ（不図示）の計測値が所定時間（少なくともＣＳＭＡチャネルギャップ３２１４よりも長い時間とする）を経過した場合（Ｓ１３０５でＹＥＳ）、本実施形態のネットワークシステムがＣＳＭＡ単独モードで動作していることを検出する（Ｓ１３０６）。そして、ＣＳＭＡ単独モードを示すモード情報を、予め登録されている使用チャネル種別情報と共に、通信フレーム生成部１１２およびＣＳＭＡ/ＣＡ制御部１４に出力する（Ｓ１３０３）。それから、優先チャネル同期信号の未受信状態の継続時間を計測するためのタイマ（不図示）の計測値をリセットする（Ｓ１３０４）。
【００７８】
図１４は使用チャネル設定部１３の使用チャネル構成情報生成処理を説明するためのフロー図である。
【００７９】
使用チャネル設定部１３はモード切替処理（図１３参照）により検出された最新のモードがＣＳＭＡ/優先チャネル混在モードであるか、それとも、ＣＳＭＡ単独モードであるかを判断する（Ｓ１３１０）。ＣＳＭＡ/優先チャネル混在モードである場合、使用チャネル設定部１３は、通信フレーム検出部１２３から優先チャネル構成情報が送られてくるのを待つ。そして、優先チャネル構成情報を受信したならば（Ｓ１３１１でＹＥＳ）、予め登録されている使用チャネル種別情報が優先チャネルであるか、それとも、ＣＳＭＡチャネルであるかを判断する（Ｓ１３１２）。使用チャネル種別情報が優先チャネルである場合、使用チャネル設定部１３は、受信した優先チャネル構成情報を使用チャネル構成情報として、通信フレーム生成部１１２、ＦＨ-ＭＭＭＦＳＫ変調部１１１、通信フレーム検出部１２３、および、ＦＨ-ＭＭＭＦＳＫ復調部１２４に出力する（Ｓ１３１３）。
【００８０】
一方、Ｓ１３１２において、使用チャネル種別情報がＣＳＭＡチャネルである場合、使用チャネル設定部１３は、ペイロード３２２のＦＨ-ＭＭＭＦＳＫ信号を構成するホッピング（第１、第２ホッピング）毎に、受信した優先チャネル構成情報により特定される当該ホッピングで優先チャンネルに使用されるトーン以外の各トーンを特定する。そして、ホッピング毎に特定した各トーンを、当該ホッピングでＣＳＭＡチャネルに使用されるトーンに決定する。例えば図３（Ｂ）の場合、第１ホッピングでは第２トーン、第３トーン、第６トーンおよび第７トーンがＣＳＭＡチャネルに使用されるトーンに決定され、第２ホッピングでは全てのトーン（第１トーン〜第７トーン）がＣＳＭＡチャネルに使用されるトーンに決定される。
【００８１】
また、使用チャネル設定部１３は、ペイロード３２２のＦＨ-ＭＭＭＦＳＫ信号を構成するホッピング（第１、第２ホッピング）毎に、当該ホッピングでＣＳＭＡチャネルに使用するトーン数に対応付けられてビット数Ｋ管理テーブルに登録されているビット数Ｋ１を特定する。そして、第１、第２ホッピングの各々でＣＳＭＡチャネルに使用するトーン、ビット数Ｋ１を含んだＣＳＭＡチャネル構成情報を作成する（Ｓ１３１４）。それから、使用チャネル設定部１３は、生成したＣＳＭＡチャネル構成情報を使用チャネル構成情報として、通信フレーム生成部１１２、ＦＨ-ＭＭＭＦＳＫ変調部１１１、通信フレーム検出部１２３、および、ＦＨ-ＭＭＭＦＳＫ復調部１２４に出力する（Ｓ１３１５）。
【００８２】
また、Ｓ１３１０での判断結果がＣＳＭＡ単独モードである場合、使用チャネル設定部１３は、予め登録されている使用チャネル種別情報が優先チャネルであるか、それとも、ＣＳＭＡチャネルであるかを判断する（Ｓ１３１６）。使用チャネル種別情報がＣＳＭＡチャネルである場合、ペイロード３１２のＦＨ-ＭＭＭＦＳＫ信号を構成するホッピング（第１、第２ホッピング）毎に、全てのトーンを、当該ホッピングでＣＳＭＡチャネルに使用されるトーンに決定する。例えば図３（Ａ）の場合、第１、２ホッピングのそれぞれで全てのトーン（第１トーン〜第７トーン）がＣＳＭＡチャネルに使用されるトーンに決定される。
【００８３】
また、使用チャネル設定部１３は、ペイロード３１２のＦＨ-ＭＭＭＦＳＫ信号を構成するホッピング（第１、第２ホッピング）毎に、当該ホッピングでＣＳＭＡチャネルに使用するトーン数に対応付けられて上述のビット数Ｋ管理テーブルに登録されているビット数Ｋを特定する。そして、第１、第２ホッピングの各々でＣＳＭＡチャネルに使用するトーン、ビット数Ｋ１を含んだＣＳＭＡチャネル構成情報を作成する（Ｓ１３１９）。それから、使用チャネル設定部１３は、生成したＣＳＭＡチャネル構成情報を使用チャネル構成情報として、通信フレーム生成部１１２、ＦＨ-ＭＭＭＦＳＫ変調部１１１、通信フレーム検出部１２３、およびＦＨ-ＭＭＭＦＳＫ復調部１２４に出力する（Ｓ１３２０）。
【００８４】
一方、Ｓ１３１６において、使用チャネル種別情報が優先チャネルである場合、使用チャネル設定部１３は、予め定められたホッピング（第１、第２ホッピングの少なくとも一方）を優先チャネルに使用するホッピングを決定する。また、優先チャネルデータの送信先アドレスに対応付けられてＳＮテーブル記憶部１５に記憶されている各トーンのＳＮ情報に基づいて、該送信先アドレスに優先チャネルデータを送信する際に使用するトーンを決定する。例えばＳＮ情報が示すＳＮが所定のしきい値以下の各トーンを優先チャネルで使用するトーンに決定する。なお、ＳＮテーブル記憶部１５に、優先チャネルデータの送信先アドレスに対応付けられたＳＮ情報が記憶されていない場合、予め定められた各トーンを優先チャネルで使用するトーンに決定する。
【００８５】
さらに、優先チャネルに使用するトーン数に対応付けられて上述のビット数Ｋ管理テーブルに登録されているビット数Ｋ１を特定する。そして、使用チャネル設定部１３は、ペイロード３２２のＦＨ-ＭＭＭＦＳＫ信号を構成するホッピング（第１、第２ホッピング）毎に、当該ホッピングで優先チャネルに使用するトーン、ビット数Ｋ１を含んだ優先チャネル構成情報を作成する（Ｓ１３１７）。例えば図３（Ｂ）の場合、第１ホッピングにおいて、優先チャネルに使用するトーンは第１トーン、第４トーン、第５トーンおよび第８トーンであり、ビット数Ｋ１は例えば３ビット（レベル数＝８、図８参照）である。また、第２ホッピングでは、優先チャネルに使用するトーンなし、ビット数Ｋ１＝０である。それから、使用チャネル設定部１３は、生成した優先チャネル構成情報を使用チャネル構成情報として、通信フレーム生成部１１２、ＦＨ-ＭＭＭＦＳＫ変調部１１１、通信フレーム検出部１２３、および、ＦＨ-ＭＭＭＦＳＫ復調部１２４に出力する（Ｓ１３１８）。
【００８６】
図４に戻って説明を続ける。ＣＳＭＡ/ＣＡ制御部１４は、通信フレーム生成部１１２に通信フレーム３１０、３２０の送信タイミングを指示する。
【００８７】
図１５はＣＳＭＡ/ＣＡ制御部１４の動作を説明するための図である。
【００８８】
ＣＳＭＡ/ＣＡ制御部１４は、使用チャネル設定部１３より受信した最新のモード情報がＣＳＭＡ/優先チャネル混在モードであるか、それとも、ＣＳＭＡ単独モードであるかを判断する（Ｓ１４０１）。
【００８９】
Ｓ１４０１において、ＣＳＭＡ/優先チャネル混在モードである場合、ＣＳＭＡ/ＣＡ制御部１４は、通信フレーム検出部１２３からＣＳＭＡ同期検出信号あるいはＣＳＭＡ同期無検出信号が送られてくるのを待つ。ＣＳＭＡ同期検出信号を受信した場合（Ｓ１４０２でＹＥＳ）は、Ｓ１４０１に戻る。ＣＳＭＡ同期無検出信号を受信した場合（Ｓ１４０３でＹＥＳ）は、使用チャネル設定部１３より受信した使用チャネル種別情報が優先チャネルであるか、それとも、ＣＳＭＡチャネルであるかを判断する（Ｓ１４０４）。優先チャネルの場合はＳ１４０１に戻る。ＣＳＭＡチャネルの場合は、ＣＳＭＡ同期信号３２１５およびペイロード３２２間の時間間隔の指定を含むＣＳＭＡチャネル送信指示を生成し、該ＣＳＭＡチャネル送信指示を通信フレーム生成部１１２に出力する（Ｓ１４０５）、それからＳ１４０１に戻る。なお、ＣＳＭＡ同期信号３２１５およびペイロード３２２間の時間間隔は、ＣＳＭＡ同期無検出信号の出力タイミング（ＣＳＭＡチャネルギャップ３２１４の開始位置からの経過時間）と、ＣＳＭＡチャネルギャップ３２１４およびＳＮ検出信号３２１３の総継続時間とに基づいて、ＣＳＭＡ/ＣＡ制御部１４が算出する。
【００９０】
一方、Ｓ１４０１において、単独チャネルである場合、ＣＳＭＡ/ＣＡ制御部１４は、通信フレーム検出部１２３からＣＳＭＡ同期検出信号あるいはＣＳＭＡ同期無検出信号が送られてくるのを待つ。ＣＳＭＡ同期検出信号を受信した場合（Ｓ１４０６でＹＥＳ）は、Ｓ１４０１に戻る。ＣＳＭＡ同期無検出信号を受信した場合（Ｓ１４０７でＹＥＳ）は、使用チャネル設定部１３より受信した使用チャネル種別情報が優先チャネルであるか、それとも、ＣＳＭＡチャネルであるかを判断する（Ｓ１４０８）。ＣＳＭＡチャネルの場合はＣＳＭＡチャネル送信指示を通信フレーム生成部１１２に出力し（Ｓ１４０９）、それからＳ１４０１に戻る。優先チャネルの場合は優先チャネル送信指示を通信フレーム生成部１１２に出力し（Ｓ１４１０）、それからＳ１４０１に戻る。
【００９１】
図１６は、図１に示すネットワークシステムにおいて通信装置１間で送受される通信フレームの流れの一例を示した図である。この図において、通信装置Ａおよび通信装置Ｂは優先チャネルを用いて通信を行ない、通信装置Ｃおよび通信装置ＤはＣＳＭＡチャネルを用いて通信を行ない、そして、通信装置Ｃおよび通信装置ＤはＣＳＭＡチャネルを用いて通信を行なう。また、符号５１は電力線等の通信媒体３上を流れる全ての通信フレームを、符号５２は通信装置Ａおよび通信装置Ｂ間で送受される通信フレームを、符号５３は通信装置Ｃおよび通信装置Ｄ間で送受される通信フレームを、そして、符号５４は通信装置Ｅおよび通信装置Ｆ間で送受される通信フレームを表している。
【００９２】
図示するように、ＣＳＭＡ単独モード区間５５では、優先チャネルを使用する通信装置１が存在しない。この場合、使用チャネル種別情報がＣＳＭＡチャネルに設定されている通信装置Ｃ〜Ｆの間でキャリアセンス（ＣＳＭＡ同期信号の検出）が行われ、ＣＳＭＡチャネルの使用を獲得した通信装置Ｃ〜Ｆが、通信媒体３上に、ＣＳＭＡチャネルヘッダ３１１とＣＳＭＡチャネルデータ３１３を格納したペイロード３１２とからなる通信フレーム３１０を送信する。図１６に示す例では、先ず、通信装置ＥがＣＳＭＡチャネルの使用を獲得し、通信装置Ｆに対して通信フレーム３１０を送信し、次に、通信装置ＣがＣＳＭＡチャネルの使用を獲得し、通信装置Ｄに対して通信フレーム３１０を送信している。
【００９３】
ＣＳＭＡ単独モードにおいて、通信媒体３上に通信フレーム３１０が存在しなくなってから所定時間の間、ＣＳＭＡ同期信号３１１１が検出されない状態が続くと、優先チャネルを用いて送信データを送信する通信装置Ａが、通信媒体３上に、優先チャネルヘッダ３２１（但し、ＣＳＭＡ同期信号３２１５を除く）と、優先チャネルデータ３２３を格納したペイロード３２２とを送信する。これにより、ＣＳＭＡ単独モード区間５５からＣＳＭＡ/優先チャネル混在モード区間５６へ遷移する。
【００９４】
ＣＳＭＡ/優先チャネル混在モードにおいて、使用チャネル種別情報がＣＳＭＡチャネルに設定されている通信装置Ｃ〜Ｆは、優先チャネルヘッダ３２１のＣＳＭＡチャネルギャップ３２１４でキャリアセンス（ＣＳＭＡ同期信号の検出）を行う。そして、ＣＳＭＡチャネルの使用を獲得した通信装置Ｃ〜Ｆが、ＣＳＭＡ同期信号３２１５を送信すると共に、優先チャネルヘッダ３２１の優先チャネル同期信号３２１１により特定される、通信媒体３上の優先チャネルデータ３２３を格納したペイロード３２２に同期した、ＣＳＭＡチャネルデータ３２４を格納したペイロード３２２を送信する。図１６に示す例では、先ず、通信装置ＣがＣＳＭＡチャネルの使用を獲得し、通信装置Ｄに対してペイロード３２２を送信し、次に、通信装置ＥがＣＳＭＡチャネルの使用を獲得し、通信装置Ｆに対してペイロード３２２を送信している。通信媒体３上で優先チャネルデータ３２３を格納したペイロード３２２およびＣＳＭＡチャネルデータ３２４を格納したペイロード３２２が多重化され、これにより通信フレーム３２０が形成される。
【００９５】
ＣＳＭＡ/優先チャネル混在モードにおいて、優先チャネルを用いて送信データを受信する通信装置Ｂは、通信フレーム３２０から優先チャネルデータ３２３を分離して受信する。一方、ＣＳＭＡチャネルを用いて送信データ受信する通信装置Ｄ、Ｆは、通信フレーム３２０からＣＳＭＡチャネルデータ３２４を分離して受信する。
【００９６】
以上、本発明の一実施形態について説明した。
【００９７】
本実施形態によれば、ＣＳＭＡチャネル３２４とは別に優先チャネル３２３を設け、両チャネルを優先チャネルヘッダ３２１で特定できるようにしている（ＣＳＭＡ/優先チャネル混在モード）。また、ＣＳＭＡチャネル獲得のためのキャリアセンスは、優先チャネルヘッダ３２１内に設けられたＣＳＭＡチャネルギャップ３２１４で行う。このようにすることで、マルチトーン変調方式を用いた優先制御技術を提供できる。
【００９８】
なお、本実施形態は上記の実施形態に限定されるものではなく、その要旨の範囲内で数々の変形が可能である。例えば、上述した通信装置１の各構成は、ＡＳＩＣ（Application Specific Integrated Circuit）、ＦＰＧＡ（Field Programmable Gate Array）などの集積ロジックＩＣによりハード的に実行されるものでもよいし、あるいは、ＤＳＰ（Digital Signal Processor）など計算機によりソフトウエア的に実行されるものでもよい。
【００９９】
また、上記の実施形態では、複数のトーンを用いてベースバンドを変調するマルチトーン変調方式としてＦＨ-ＭＭＭＦＳＫを用いた場合を例にとり説明したが、本発明はＦＨ-ＭＭＭＦＳＫ以外のマルチトーン変調方式（ＦＨ-ＭＭＦＳＫ、ＯＦＤＭ等）にも同様に適用することができる。また、ＣＳＭＡ方式以外の競合チャネル方式を利用しても良い。
【図面の簡単な説明】
【０１００】
【図１】図１は本発明の一実施形態が適用されたネットワークシステムの概略図である。
【図２】図２（Ａ）はＣＳＭＡ単独モードの場合に通信装置１間で送受される通信フレームを模式的に表した図である。図２（Ｂ）はＣＳＭＡ/優先チャネル混在モードの場合に通信装置１間で送受される通信フレームを模式的に表した図である。
【図３】図３（Ａ）はＣＳＭＡ単独モード用の通信フレーム３１０のペイロード３１２に格納されるＦＨ-ＭＭＭＦＳＫ信号を模式的に表した図である。図３（Ｂ）はＣＳＭＡ/優先チャネル混在モード用の通信フレーム３２０のペイロード３２２に格納されるＦＨ-ＭＭＭＦＳＫ信号を模式的に表した図である。
【図４】図４は通信装置１の概略図である。
【図５】図５はＦＨ-ＭＭＭＦＳＫ変調部１１１の概略図である。
【図６】図６はレベル変換部１１１２が出力するレベルパターン１１１２１を模試的に表した図である。
【図７】図７はホッピングパターン記憶部１１１４に記憶されているホッピングパターン１１１４１を模試的に表した図である。
【図８】図８はレベル/トーン変換テーブル記憶部１１１８に登録されているレベル/トーン変換テーブル１１１８１を模式的に表した図である。
【図９】図９はレベル/トーン変換部１１１７から出力される１ホッピング分の送信スペクトル１１１７１を模式的に表した図である。
【図１０】図１０は通信フレーム生成部１１２の概略図である。
【図１１】図１１は通信フレーム検出部１２３の概略図である。
【図１２】図１２はＦＨ-ＭＭＭＦＳＫ復調部１２４の概略図である。
【図１３】図１３は使用チャネル設定部１３のモード切替処理を説明するためのフロー図である。
【図１４】図１４は使用チャネル設定部１３の使用チャネル情報構成処理を説明するためのフロー図である。
【図１５】図１５はＣＳＭＡ/ＣＡ制御部１４の動作を説明するための図である。
【図１６】図１６は図１に示すネットワークシステムにおいて通信装置１間で送受される通信フレームの流れの一例を示した図である。
【符号の説明】
【０１０１】
１…通信装置、２…情報処理装置、３…通信媒体、１１…送信部、１２…受信部、１３…使用チャネル設定部、１４…ＣＳＭＡ/ＣＡ制御部、１１１…ＦＨ-ＭＭＭＦＳＫ変調部、１１２…通信フレーム生成部、１１３…ＤＡ変換部、１１４…ＡＦＥ部、１２１…ＡＦＥ部、１２２…ＡＤ変換部、１２３…通信フレーム検出部、１２４…ＦＨ-ＭＭＭＦＳＫ復調部、１１１１…Ｓ/Ｐ変換部、１１１２…レベル変換部、１１１３…パターン変換部、１１１４…ホッピングパターン記憶部、１１１５…加算部、１１１６…剰余演算部、１１１７…レベル/トーン変換部、１１１８…レベル/トーン変換テーブル記憶部、１１２１…ペイロード生成部、１１２２…ＳＮ検出信号付加部、１１２３…ＩＦＦＴ部、１１２４…ＣＳＭＡ同期信号付加部、１１２５…優先ＣＨ構成情報付加部、１１２６…優先チャネル同期信号付加部、１２３１…優先チャネル同期信号検出部、１２３２…優先チャネル構成情報検出部、１２３３…ＣＳＭＡ同期信号検出部、１２３４…ＦＦＴ部、１２３５…ＳＮ検出部、１２３６…使用ＣＨ抽出部、１２４１…レベル/トーン変換テーブル記憶部、１２４２…トーン/レベル変換部、１２４３…ホッピングパターン記憶部、１２４４…減算部、１２４５…剰余演算部、１２４６…多数決判定部、１２４７…Ｐ/Ｓ変換部
【図１】
2006238245.tif 000003
【図２】
2006238245.tif 000004
【図３】
2006238245.tif 000005
【図４】
2006238245.tif 000006
【図５】
2006238245.tif 000007
【図６】
2006238245.tif 000008
【図７】
2006238245.tif 000009
【図８】
2006238245.tif 000010
【図９】
2006238245.tif 000011
【図１０】
2006238245.tif 000012
【図１１】
2006238245.tif 000013
【図１２】
2006238245.tif 000014
【図１３】
2006238245.tif 000015
【図１４】
2006238245.tif 000016
【図１５】
2006238245.tif 000017
【図１６】
2006238245.tif 000018